(57)【要約】【課題】小型のバリア機構を備えたレンズ鏡筒を提供する。【解決手段】レンズ鏡筒は、第一の羽根部材と、第一の羽根部材よりも被写体側に設けられ、光軸方向において第一の羽根部材の少なくとも一部と重なる第二の羽根部材と、第一の羽根部材および第二の羽根部材を開閉駆動させる駆動手段と、駆動手段に付勢力を与える付勢手段とを有し、付勢手段は、第一の羽根部材に対して光軸直交方向に配置されており、第二の羽根部材の開閉動作中に、光軸方向において第二の羽根部材の少なくとも一部と重なるように配置されている。【選択図】図１１
2015106043.tif 000002
【特許請求の範囲】
【請求項１】
第一の羽根部材と、
前記第一の羽根部材よりも被写体側に設けられ、光軸方向において該第一の羽根部材の少なくとも一部と重なる第二の羽根部材と、
前記第一の羽根部材および前記第二の羽根部材を開閉駆動させる駆動手段と、
前記駆動手段に付勢力を与える付勢手段と、を有し、
前記付勢手段は、
前記第一の羽根部材に対して光軸直交方向に配置されており、
前記第二の羽根部材の開閉動作中に、前記光軸方向において該第二の羽根部材の少なくとも一部と重なるように配置されている、ことを特徴とするレンズ鏡筒。
【請求項２】
前記第一の羽根部材および前記付勢手段は、光軸に直交する同一平面上に配置されていることを特徴とする請求項１に記載のレンズ鏡筒。
【請求項３】
前記第一の羽根部材の前記開閉動作により描かれる第一の軌跡は、前記光軸方向において前記付勢手段と重ならないことを特徴とする請求項１または２に記載のレンズ鏡筒。
【請求項４】
前記第二の羽根部材の前記開閉動作により描かれる第二の軌跡の少なくとも一部は、前記光軸方向において前記付勢手段と重なることを特徴とする請求項１乃至３のいずれか１項に記載のレンズ鏡筒。
【請求項５】
前記第二の羽根部材の最も被写体側の位置と前記付勢手段の最も像面側の位置との間の前記光軸方向における距離は、該光軸方向における前記第一の羽根部材、前記第二の羽根部材の厚さ、および、前記付勢手段のそれぞれの厚さの和よりも小さいことを特徴とする請求項１乃至４のいずれか１項に記載のレンズ鏡筒。
【請求項６】
前記第一の羽根部材、前記第二の羽根部材、および、前記駆動手段を保持する保持部材を直進規制する直進部材を更に有し、
前記付勢手段は、前記光軸方向において前記直進部材の少なくとも一部と重なるように配置されていることを特徴とする請求項１乃至５のいずれか１項に記載のレンズ鏡筒。
【請求項７】
前記保持部材は、前記光軸方向における前記駆動手段の位置を規制する位置規制手段を有し、
前記付勢手段は、前記光軸方向において前記位置規制手段の少なくとも一部と重なるように配置されていることを特徴とする請求項６に記載のレンズ鏡筒。
【請求項８】
前記付勢手段は、前記第一の羽根部材と前記駆動手段との間に設けられており、該第一の羽根部材を開状態に保つための付勢力を与えるように構成されていることを特徴とする請求項１乃至７のいずれか１項に記載のレンズ鏡筒。
【請求項９】
前記付勢手段は、コイルスプリングであることを特徴とする請求項１乃至８のいずれか１項に記載のレンズ鏡筒。
【請求項１０】
請求項１乃至９のいずれか１項に記載のレンズ鏡筒を有することを特徴とする撮像装置。
【発明の詳細な説明】
【技術分野】
【０００１】
本発明は、レンズ鏡筒に関し、特にレンズを保護するバリア筒を備えたレンズ鏡筒に関する。
【背景技術】
【０００２】
従来から、撮影時に撮像装置本体から繰り出し、収納時に本体内へ沈胴するレンズ鏡筒が提案されている。このようなレンズ鏡筒は、複数の直進筒と回転筒を組み合わせることにより、レンズ群を光軸方向に進退させる沈胴機構を有する。また、沈胴機構と連動して、収納位置ではレンズ前面を覆い、使用時にはレンズ前面から退避するレンズバリア機構（バリア筒）が提案されている。
【０００３】
レンズ鏡筒の小型化を図るため、例えば複数のバリア羽根を重ねるように構成すると、光軸方向において所定のスペースが必要となる。また、沈胴長の短縮を図るため、カム筒またはそれと連動する直進筒の光軸方向の長さを長くすると、カム筒および直進筒がバリア機構を構成する１群筒のスペースに侵入することにより、バリア機構を構成する部品のスペースに制約が生じる。このため、バリア機構および鏡筒装置の小型化を図るには、バリア機構の構成部品の効率的な配置が要求される。
【０００４】
特許文献１には、互いに重なり合う複数のバリア羽根をバリア羽根から撮像面側への曲げ部と羽根の厚さを利用した係止部とで連動させることにより、薄型化を実現した鏡筒が開示されている。
【先行技術文献】
【特許文献】
【０００５】
【特許文献１】特開２０１２−１５０１７３号公報
【発明の概要】
【発明が解決しようとする課題】
【０００６】
ところで、バリア機構の小型化、特に光軸方向の薄型化によりレンズ鏡筒の沈胴長を短縮するには、バリア羽根、および、バリア羽根を付勢するバネの配置関係が重要となる。バリア羽根およびバネを光軸方向に沿って積層するように配置すると、光軸方向の小型化（薄型化）が阻害されるためである。
【０００７】
そこで本発明は、小型のバリア機構を備えたレンズ鏡筒および撮像装置を提供する。
【課題を解決するための手段】
【０００８】
本発明の一側面としてのレンズ鏡筒は、第一の羽根部材と、前記第一の羽根部材よりも被写体側に設けられ、光軸方向において該第一の羽根部材の少なくとも一部と重なる第二の羽根部材と、前記第一の羽根部材および前記第二の羽根部材を開閉駆動させる駆動手段と、前記駆動手段に付勢力を与える付勢手段とを有し、前記付勢手段は、前記第一の羽根部材に対して光軸直交方向に配置されており、前記第二の羽根部材の開閉動作中に、前記光軸方向において該第二の羽根部材の少なくとも一部と重なるように配置されている。
【０００９】
本発明の他の側面としての撮像装置は、前記レンズ鏡筒を有する。
【００１０】
本発明の他の目的及び特徴は、以下の実施例において説明される。
【発明の効果】
【００１１】
本発明によれば、小型のバリア機構を備えたレンズ鏡筒および撮像装置を提供することができる。
【図面の簡単な説明】
【００１２】
【図１】本実施例におけるバリア装置（１群筒ユニット）の分解斜視図である。
【図２】本実施例におけるレンズ鏡筒（１群筒ユニット）の斜視図である。
【図３】本実施例におけるレンズ鏡筒（撮影状態時）の断面図である。
【図４】本実施例におけるレンズ鏡筒（沈胴状態時）の断面図である。
【図５】本実施例におけるレンズ鏡筒の分解斜視図である。
【図６】本実施例におけるレンズ鏡筒（固定筒ユニット）の分解斜視図である。
【図７】本実施例におけるレンズ鏡筒（第一カム筒ユニット）の分解斜視図である。
【図８】本実施例におけるレンズ鏡筒（第二カム筒ユニット）の分解斜視図である。
【図９】本実施例におけるレンズ鏡筒（１群筒ユニット）の分解斜視図である。
【図１０】本実施例におけるバリア装置（１群筒ユニット）の正面図である。
【図１１】本実施例におけるバリア装置（１群筒ユニット）の正面図である。
【図１２】本実施例におけるバリア装置（１群筒ユニット）の正面図である。
【図１３】本実施例におけるレンズ鏡筒（１群筒ユニットおよび第二直進筒）の斜視図である。
【図１４】本実施例におけるバリア装置（１群筒ユニット）の断面図である。
【図１５】本実施例におけるバリア装置（１群筒ユニット）の断面図である。
【図１６】本実施例におけるバリア装置（バリア駆動リング）の斜視図である。
【図１７】本実施例におけるバリア装置（バリア羽根）の斜視図である。
【図１８Ａ】本実施例におけるバリア装置（１群キャップおよび１群筒）の側面図である。
【図１８Ｂ】本実施例におけるバリア装置（１群キャップおよび１群筒）の側面図である。
【図１８Ｃ】本実施例におけるバリア装置（１群キャップおよび１群筒）の側面図である。
【図１９】本実施例における撮像装置の外観斜視図である。
【発明を実施するための形態】
【００１３】
以下、本発明の実施例について、図面を参照しながら詳細に説明する。各図において、同一の部材については同一の参照符号を付し、重複する説明は省略する。
【００１４】
まず、図１乃至図５を参照して、本実施例におけるバリア装置を備えたレンズ鏡筒について説明する。図１は、本実施例におけるレンズ鏡筒１に設けられた１群筒ユニット５０の分解斜視図である。図２は、１群筒ユニット５０の斜視図である。図３および図４は、本実施例におけるバリア装置を備えたレンズ鏡筒１の断面図である。図３はレンズ鏡筒１が撮影状態である場合を示し、図４はレンズ鏡筒１が沈胴状態である場合を示している。図５は、レンズ鏡筒１の分解斜視図である。
【００１５】
図３および図４に示されるように、本実施例のレンズ鏡筒１は、１群レンズ１１、２群レンズ１２、および、３群レンズ１３からなる３群のレンズ群（撮影レンズ群）により構成される。１群レンズ１１は、１群筒５１（保持部材）に保持される。２群レンズ１２は、２群ホルダ７２に保持される。また２群ホルダ７２には、シャッタユニット７２Ｓが設けられている。３群レンズ１３は、３群ホルダ７３に保持される。３群ホルダ７３には、ＡＦモータユニット８４から動力が供給されることにより、３群ホルダ７３は光軸ＯＡの方向（光軸方向）に移動可能に構成されている。図３および図４に示されるように、本実施例のレンズ鏡筒１は、三段式の沈胴構成であり、撮影状態と沈胴状態とで鏡筒の全長を変化させることができる。図５に示されるように、レンズ鏡筒１は、撮像面側から被写体側に向けて、固定筒ユニット２０、第一カム筒ユニット３０、第二カム筒ユニット４０、および、一群筒ユニット５０を備えて構成される。
【００１６】
レンズ鏡筒１には、バリア装置（バリア機構）を備えた１群筒ユニット５０が設けられている。図２に示されるように、１群筒ユニット５０は、１群筒５１および１群キャップ５４を備えて構成される。また図１に示されるように、１群筒５１には、バリア羽根５２（第一の羽根部材）、バリア羽根５３（第二の羽根部材）、バリア駆動リング５５（駆動手段）、および、バネ５６（付勢手段）が設けられている。
【００１７】
続いて、図６乃至図８を参照して、レンズ鏡筒１の各段（固定筒ユニット２０、第一カム筒ユニット３０、および、第二カム筒ユニット４０）の構成について説明する。
【００１８】
図６は、固定筒ユニット２０の分解斜視図である。固定筒ユニット２０は、固定筒２１およびセンサホルダ２２を備えて構成される。固定筒２１は、その内側において、直進溝２１ａおよびカム溝２１ｂを有する。センサホルダ２２は、撮像素子１４を保持している。またセンサホルダ２２は、ズーム駆動源であるモータとその動力を伝達するギアを収納したギアボックス８１を有する。固定筒２１とセンサホルダ２２とが結合された状態において、ギアボックス８１内のギアは出力ギア８２とかみ合い、動力を後述の第一カム筒３１へ伝達する。またセンサホルダ２２は、３群ホルダ７３を駆動するＡＦモータユニット８４を備えている。
【００１９】
図７は、第一カム筒ユニット３０の分解斜視図である。第一カム筒ユニット３０は、レンズ鏡筒１の一段目に設けられ、第一カム筒３１および第一直進筒３２を備えて構成される。第一カム筒３１は、その内側において、光軸と直交する方向（光軸直交方向）に一様に切り欠かれた溝部３１ａおよび直進溝３１ｄが形成されている。また第一カム筒３１は、その外側において、出力ギア８２と噛み合うギア３１ｂ、および、カムピン３１ｃが設けられている。カムピン３１ｃは、固定筒２１のカム溝２１ｂと係合する。このため、第一カム筒ユニット３０は、カム溝２１ｂの軌跡に沿って光軸方向に移動可能である。
【００２０】
第一直進筒３２には、３か所において係合部３２ａが設けられている。係合部３２ａは、第一カム筒３１の光軸直交方向に一様に切り欠かれた溝部３１ａと係合する。これにより第一直進筒３２は、第一カム筒３１とともに光軸方向に一体的に移動可能である。また第一直進筒３２は、その外周部に設けられた直進キー３２ｂと、その内周面に設けられた直進溝３２ｃおよびカム溝３２ｄとを有する。直進キー３２ｂは、固定筒２１の直進溝２１ａと係合する。このため、第一直進筒３２は直進ガイドされる。
【００２１】
図８は、第二カム筒ユニット４０の分解斜視図である。第二カム筒ユニット４０は、レンズ鏡筒１の二段目に設けられ、カバー筒４１、第二カム筒４２、第二直進筒４３、および、直進板４４を備えて構成される。カバー筒４１は、その内側の３か所において均等に配置された係合部４１ａを有する。係合部４１ａは、第二カム筒４２の係合部４２ｅと係合し、カバー筒４１は第二カム筒４２に保持される。
【００２２】
第二カム筒４２は、その外側の３か所において均等に配置された、カム溝４２ａ、カムピン４２ｂ、および、回転伝達突起４２ｃをそれぞれ有する。また第二カム筒４２は、その内側の３か所において均等に配置されたカム溝４２ｄを有する。カム溝４２ａは、１群筒５１のカムピン５１ａと係合する。このため１群筒５１は、カム溝４２ａの軌跡に沿って進退可能である。回転伝達突起４２ｃは、第一カム筒３１の直進溝３１ｄと係合する。このため第二カム筒４２は、第一カム筒３１とともに回転可能である。カム溝４２ｄは、２群ホルダ７２のカムピン７２ａと係合する。このため２群レンズ１２は、カム溝４２ｄの軌跡に沿って進退可能である。
【００２３】
第二直進筒４３（直進部材）は、２群ホルダ７２の直進ガイドを行う直進ガイド溝４３ａを有する。また第二直進筒４３は、フランジ４３ｂの外周部において、１群筒５１の直進溝５１ｊ（図１３参照）と係合して直進ガイドを行う直進キー部４３ｃを有する。また第二直進筒４３には、その内周部において突起４３ｄが設けられている。突起部４３ｄは、直進板４４の係合部４４ｂと係合する。このように第二直進筒４３は、直進板４４と結合することでカム筒４２を挟持する。これにより、第二直進筒４３は、第二カム筒４２と光軸方向に一体的に移動可能である。直進板４４は、第一直進筒３２の直進溝３２ｃと係合する係合部４４ａを有する。第一直進筒３２の直進溝３２ｃは、直進板４４の直進係合部４４ａと係合している。このため、直進板４４およびそれに結合した第二直進筒４３は直進ガイドされる。
【００２４】
続いて、図９を参照して、１群筒ユニット５０（バリア機構）について詳述する。図９は、１群筒ユニット５０の斜視分解図である。１群筒ユニット５０は、１群筒５１、２組のバリア羽根５２、５３、１群キャップ５４、バリア駆動リング５５、および、バネ５６を備えて構成される。
【００２５】
バリア羽根５２、５３は、光軸方向において互いに重なり合うように設けられている。バリア羽根５２は、１群レンズ１１に近い側（像面側）に設けられた第一の羽根部材である。バリア羽根５３は、１群レンズ１１から遠い側（被写体側）に設けられた第二の羽根部材である。このようにバリア羽根５３は、バリア羽根５２よりも被写体側に設けられ、光軸方向においてバリア羽根５２の少なくとも一部と重なるように配置されている。バリア羽根５２、５３は、それぞれ、１群筒５１の軸５１ｂにそれぞれ嵌合している。バリア駆動リング５５は、バリア羽根５２、５３よりも像面側（撮像素子１４側）に配置されており、一群筒５１に嵌合して光軸中心に回転可能に構成されている。このようにバリア駆動リング５５は、バリア羽根５２、５３を開閉駆動させる駆動手段である。
【００２６】
バネ５６は、バリア駆動リング５５に付勢力を与える付勢手段である。本実施例において、バネ５６は、バリア羽根５２とバリア駆動リング５５との間に設けられており、バリア羽根５２を開状態に保つための付勢力を与えるように構成されている。すなわちバネ５６は、バリア羽根５２とバリア駆動リング５５との間に掛けられている。バネ５６の付勢力により、バリア駆動リング５５には、バリア羽根５２を開状態に保つような回転力が与えられる（図９中の時計周りに回転力が与えられる）。本実施例において、バネ５６はコイルスプリングであるが、これに限定されるものではない。１群キャップ５４は、バリア羽根５２、５３の被写体側に配置され、一群筒５１に係合可能に構成されている。
【００２７】
続いて、図１６および図１７を参照して、バリア駆動リング５５およびバリア羽根５２、５３の構成について詳述する。図１６は、バリア駆動リング５５を被写体側から見た斜視図である。図１７は、バリア羽根５２、５３を像面側から見た図である。
【００２８】
図１６に示されるように、バリア駆動リング５５は、バリア羽根５２の係合部５２ｃを押圧する１８０度対称に配置された羽根駆動部５５ａ、および、バネ５６を保持するバネ掛け５５ｂを有する。またバリア駆動リング５５は、１群筒５１のバヨネット部５１ｃ（位置規制手段）に対してバヨネット結合をして光軸方向の位置を規制する凸部５５ｃを有する。またバリア駆動リング５５は、第二直進筒４３の斜面部４３ｅに係合する駆動片５５ｄ、および、バリア羽根５２の摺動面５２ｆと摺動する凸状の摺動部５５ｅを有する。
【００２９】
図１７に示されるように、バリア羽根５２は、１群筒５１の軸５１ｂに嵌合する嵌合部５２ａ、バネ５６を保持するバネ掛け５２ｂ、バリア駆動リング５５との当接部５２ｃ、および、先端に設けられた係止部５２ｄを有する。バリア羽根５３は、１群筒５１の軸５１ｂに嵌合する嵌合部５３ａ、係合部５３ｂ、および、係合部５３ｃを有する。図１７に示される状態は、バリア羽根５２、５３の閉じ状態であり、バリア羽根５３の先端に設けられた係合部５３ｂがバリア羽根５２の係合部５２ｄと係合することにより、バリア羽根５２、５３が閉じた状態となる。バリア羽根５２、５３が開く際には、バリア羽根５２の外形にある端面５２ｅがバリア羽根５３の短辺開口部の外側端部にある係合部５３ｃに当接し、バリア羽根５２がバリア羽根５３を開き側に回転させる。これにより、バリア羽根５２、５３の開き状態となる。
【００３０】
次に、図１０乃至図１５を参照して、本実施例におけるバリア装置（バリア機構）の動作について説明する。図１０乃至図１２は、１群筒ユニット５０に設けられたバリア装置（バリア機構）の正面図である。図１０はバリア開き状態、図１１はバリア閉じ状態、および、図１２はバリア閉じ状態からバリア開き状態へ移行する状態をそれぞれ示している。なお、図１０乃至図１２において、１群キャップ５４は省略している。図１３は、１群筒ユニット５０、および、バリア動作を実行する第二直進筒４３の斜視図である。図１４は、図１１中のＡ−Ａ断面図である。図１５は、図１１中のＢ−Ｂ断面図である。
【００３１】
図１０乃至図１３に示されるように、バリア装置（バリア機構）において、第二直進筒４３の斜面部４３ｅとバリア駆動リング５５の駆動片５５ｄとが係合することにより、バリア駆動リング５５が光軸を中心として回転可能に構成されている。バリア開き動作の際において、バリア駆動リング５５は図１１中の時計回りに回転する。このとき、バリア駆動リング５５の羽根駆動部５５ａは、バリア羽根５２の係合部５２ｃと当接しながら、バリア羽根５２を１群筒５１の軸５１ｂを中心として回転させる。図１１のバリア閉じ状態から、図１２の状態に移行すると、バリア羽根５２の外形端部にある摺動面５２ｆとバリア羽根５３の係合部５３ｃとが当接する。この状態から、さらにバリア羽根５２が開く方向へ回転すると、バリア羽根５２とバリア羽根５３とがともに開く方向へ回転する。
【００３２】
一方、バリア閉じ動作の際には、まず、バリア羽根５２がバリア閉じ方向へ回転し、バリア羽根５２の先端部にある係合部５２ｄとバリア羽根５３の先端にある先端係合部５３ｂとが係合する。そして、バリア羽根５２とバリア羽根５３がともにバリア閉じ方向へ回転する。このように、複数の羽根を光軸方向に重ねて配置されたバリア装置では、レンズに近い側の羽根の動作に連動して、重ねられた羽根が動作するように構成されている。
【００３３】
また図１１において、バリア羽根５２の軌跡Ｃ１（先端軌跡）、および、バリア羽根５３の軌跡Ｃ２（先端軌跡）がそれぞれ示されている。本実施例のバリア機構の構成では、図１１の正面から見た状態で、１群レンズ１１に近い側にあるバリア羽根５２の軌跡Ｃ１は、バネ５６の作動領域外にあり、バリア羽根５２の被写体側に重ねられたバリア羽根５３の軌跡Ｃ２は、バネ５６の作動領域内にある。この状態の詳細を、図１１中のＢ−Ｂ断面図である図１５を参照して説明する。
【００３４】
図１５において、Ｅ１は、バリア羽根５２の遮蔽部の開閉駆動領域であり、バリア羽根５２の光軸方向における厚さに実質的に等しい。Ｅ２は、バリア羽根５３の遮蔽部の開閉駆動領域であり、バリア羽根５３の光軸方向における厚さに実質的に等しい。本実施例においては、バリア羽根５２の走行スペースである開閉駆動領域Ｅ１は、光軸方向においてバネ５６と重なる位置に設けられている。また、その被写体側において重なったバリア羽根５３の走行スペースである開閉駆動領域Ｅ２は、光軸方向においてバネ５６とは重ならない。このため、バリア羽根５２、５３とバネ５６とを光軸方向において互いに重なるように配置する場合、バリア羽根５２の走行スペースである開閉駆動領域Ｅ１とバネ５６の一部とが光軸方向において互いに重なる。
【００３５】
本来、２枚分の羽根の厚さとバネの外形を加えたものが構成部材の厚さになる。一方、本実施例では、１枚分の羽根の厚さ（Ｅ２）とバネの外形の幅（Ｅ４）を加えた厚さ（またはその厚さに実質的に等しい厚さ）が構成部品（バリア羽根５２、５３、バネ５６）の光軸方向における厚さ（図１５中の距離Ｅ３）に相当する。このため、バリア羽根５２、５３を備えたバリア装置の光軸方向における厚さを薄くすることができる。
【００３６】
また、図１１に示されるように、バリア羽根５３の軌跡Ｃ２は、光軸方向からの投影において、バネ５６の一部の部分を共有している（図１５中の部分Ｆ）。これにより、バリア羽根５３の光軸に直交する平面（光軸直交平面）のバリア遮蔽領域を大きくすることができる。
【００３７】
このように本実施例の構成では、バリア羽根を光軸方向に重ねて配置しつつ、その厚さ（総厚）を薄くすることができる。また、光軸直交平面においてバネと重ならないバリア羽根をバネの被写体側に重ねて配置することにより、バリア遮蔽領域を大きくすることができる。また本実施例において、バネ５６は、１群筒５１の底部５１ｄとバヨネット部５１ｃとの間に配置されている。これにより、バネ５６を光軸直交平面において効率的に配置することができる。
【００３８】
また、図１１中のＡ−Ａ断面図である図１４は、バリア羽根５２、５３を光軸方向において重ねて配置した構成を詳細に示している。バリア羽根５２、５３を光軸方向において重ねて配置した場合、特に最も被写体側に設けられているバリア羽根５３は、羽根を重ねている構成上、レンズ側の構成部品（本実施例における１群レンズ１１、バリア駆動リング５５）から最も離れた位置にある。このため、バリア閉じ状態において、最も被写体側に設けられているバリア羽根５３とレンズ側（１群レンズ１１側）の構成部品との間には、別のバリア羽根の走行スペースの分だけ隙間が空いている。特に、この隙間が空いている箇所（図１４中のＧ箇所）は、レンズ側の構成部品に受ける部材がない。このため、例えば、外力Ｐがバリア羽根５３の領域５３ｄに加わると、バリア羽根５３は変形する場合がある。特に、バリア羽根５３が金属製の場合、バリア羽根５３を塑性変形させると、バリア開閉機構の動作に影響を与える可能性がある。
【００３９】
そこで本実施例のバリア羽根５３は、バリア閉じ状態において、バリア羽根５３の係合部５３ｃの先端がバリア駆動リング５５の凸状の摺動部５５ｅと近接するように構成される。このような構成により、外力Ｐがバリア羽根５３の領域５３ｄに加わった場合でも、バリア羽根５３の係合部５３ｃの先端がバリア駆動リング５５の凸状の摺動部５５ｅと当接するため、バリア羽根５３の変位を低減することができる。このため、バリア羽根５３の変形を防止することが可能である。本実施例では、バリア閉じ状態において、バリア羽根５３の係合部５３ｃの先端がバリア駆動リング５５の凸状の摺動部５５ｅと近接するように構成されているため、係合部５３ｃを必要以上に長くする必要はない。なお本実施例は、光軸方向に２枚のバリア羽根を重ねて構成されたバリア機構について説明しているが、３枚以上のバリア羽根を重ねて構成されたバリア機構にも同様に適用可能である。
【００４０】
続いて、図１８Ａ乃至図１８Ｃを参照して、１群キャップ５４と１群筒５１との係合について説明する。図１８Ａ乃至図１８Ｃは、１群キャップ５４および１群筒５１の側面図である。図１８Ａおよび図１８Ｂは、１群キャップ５４が１群筒５１に組み付けられる過程の状態を示す。図１８Ｃは、１群キャップ５４が１群筒５１に組み付けられた状態（組み付け完了状態）を示す。
【００４１】
１群筒５１には、３つのカムピン５１ａが、１群筒５１の後端に突出した張出部５１ｄに設けられている。このように、後方に突出した張出部５１ｄにカムピン５１ａを設ける理由は、沈胴状態において、カムピン５１ａと第二カム筒４２のカムピン４２ｂとを、光軸直交平面において互いに同一面上に配置することにより、レンズ鏡筒１の小型化を図るためである。
【００４２】
また、１群筒５１には、カバー筒４１の内径とインロー構成をとるための円周状の凸部５１ｅが設けられている。凸部５１ｅは、カバー筒４１の内径と近接するように設定されているため、カバー筒４１と１群筒５１との隙間から光線がレンズ鏡筒１の内部に侵入することを防止することができる。凸部５１ｅが１群筒５１の光軸周りに全周切れ目なく繋がっていることは、レンズ鏡筒１の遮光性を保つのに重要であり、例えば、一部でも凸部５１ｅに切り欠きがあると、その箇所から光線がレンズ鏡筒１の内部に侵入する可能性がある。本実施例では、１群キャップ５４の係止爪５４ａが挿入される導入部５１ｆは、凸部５１ｅに対して、その一部が凹形状である。ただし導入部５１ｆは、張出部５１ｄが配置された領域に設けられているため、凸部５１ｅが全周切れ目なく繋がるように構成されている。
【００４３】
１群キャップ５４の係止爪５４ａの先端には、押圧部５４ｂが形成されている。図１８Ｂの状態から１群キャップ５４を反時計回りに回転させると、押圧部５４ｂが斜面５１ｇと当接しながら、１群キャップ５４（係止爪５４ａ）は光軸方向に撓む。１群キャップ５４をさらに回転させると、図１８Ｃに示されるように、押圧部５４ｂが凹部５１ｈに嵌った状態となり、１群キャップ５４が保持される。これにより、押圧部５４ｂは凹部５１ｈに対して押圧された状態で保持される。このとき、１群キャップ５４の１群筒５１に対する位置は、１群キャップ５４の先端部と一群筒５１の先端部との当接により決定される。そして、係止爪５４ａは撓み凹部５１ｈにより押圧される。このように、係止爪５４ａが撓んで押圧された状態となるため、１群キャップ５４の１群筒５１に対する位置はガタ無く決定される。このため、例えば、１群筒５１の先端に設けられたバリア機構の羽根走行スペースがガタによって変化することがなく、バリア機構の安定した動作が可能となる。
【００４４】
また、１群キャップ５４が１群筒５１に組み込まれた図１８Ｃの状態では、１群キャップ５４を外そうとする外力が光軸方向に加わった場合でも、係止爪５４ａの押圧部５４ｂが抜け止めとなっているため、容易に脱落することはない。また、１群キャップ５４を外そうとする外力が回転方向に加わった場合でも、係止爪５４ａの押圧部５４ｂが凹部５１ｈに対して適度な力で押圧された状態となるため、容易に脱落することはない。また本実施例において、係止爪５４ａが挿入される導入部５１ｆを設ける際に、導入部５１ｆが張出部５１ｄの配置領域に設けられている。このため、係止爪５４ａを設ける際に、外観面を短縮する必要がなく小型化の障害にもならない。
【００４５】
次に、図１９を参照して、本実施例におけるレンズ鏡筒１を備えた撮像装置の概略について説明する。図１９は、本実施例における撮像装置１００（デジタルカメラ）の外観斜視図である。図１９に示されるように、撮像装置１００は、撮像装置本体１１１と撮像装置本体１１１に取り付けられたレンズ鏡筒１とを備えて構成される。撮像装置１００の正面には、被写体の構図を決定するファインダ対物レンズ１１７、測光動作や測距動作を行う際の光源の補助を行う補助光手段１１２、ストロボ１１３、および、レンズ鏡筒１（レンズ装置）が設けられている。また、撮像装置本体１１１の上面には、レリーズボタン１１４、ズーム切換えスイッチ１１５、および、電源切換えボタン１１６が設けられている。また本実施例において、レンズ鏡筒１は、沈胴状態と繰り出し状態（撮影状態）との間で移動可能に構成されている。
【００４６】
本実施例において、バネ５６（付勢手段）は、バリア羽根５２に対して光軸直交方向に配置されている。またバネ５６は、バリア羽根５３の開閉動作中に、光軸方向においてバリア羽根５３の少なくとも一部と重なるように配置されている。
【００４７】
好ましくは、バリア羽根部材５２およびバネ５６は、光軸に直交する同一平面上（光軸直交平面上）に配置されている。また好ましくは、バリア羽根５２の開閉動作により描かれる軌跡Ｃ１（第一の軌跡）は、光軸方向においてバネ５６と重ならない。また好ましくは、バリア羽根５３の開閉動作により描かれる軌跡Ｃ２（第二の軌跡）の少なくとも一部は、光軸方向においてバネ５６と重なる。また好ましくは、バリア羽根５３の最も被写体側の位置とバネ５６の最も像面側の位置との間の光軸方向における距離（Ｅ３）は、光軸方向におけるバリア羽根５２の厚さ（Ｅ１）、バリア羽根５３の厚さ（Ｅ２）、およびバネ５６の厚さ（Ｅ４）の和よりも小さい。すなわち、Ｅ３＜Ｅ１＋Ｅ２＋Ｅ４の関係が成立する。
【００４８】
好ましくは、レンズ鏡筒１は、バリア羽根５２、５３、および、バリア駆動リング５５を保持する１群筒５１（保持部材）を直進規制する第二直進筒４３（直進部材）を有する。そしてバネ５６は、光軸方向において第二直進筒４３の少なくとも一部と重なるように配置されている。より好ましくは、１群筒５１は、光軸方向におけるバリア駆動リング５５の位置を規制するバヨネット部５１ｃ（位置規制手段）を有する。そしてバネ５６は、光軸方向においてバヨネット部５１ｃの少なくとも一部と重なるように配置されている。
【００４９】
本実施例によれば、バリア羽根およびその付勢手段を効率的に配置することにより、バリア機構の小型化を図ることができる。このため本実施例によれば、小型のバリア機構を備えたレンズ鏡筒および撮像装置を提供することができる。
【００５０】
以上、本発明の好ましい実施形態について説明したが、本発明はこれらの実施形態に限定されず、その要旨の範囲内で種々の変形及び変更が可能である。
【符号の説明】
【００５１】
５２…バリア羽根（第一の羽根部材）
５３…バリア羽根（第二の羽根部材）
５５…バリア駆動リング（駆動手段）
５６…バネ（付勢手段）
【図１】
2015106043.tif 000003
【図２】
2015106043.tif 000004
【図３】
2015106043.tif 000005
【図４】
2015106043.tif 000006
【図５】
2015106043.tif 000007
【図６】
2015106043.tif 000008
【図７】
2015106043.tif 000009
【図８】
2015106043.tif 000010
【図９】
2015106043.tif 000011
【図１０】
2015106043.tif 000012
【図１１】
2015106043.tif 000013
【図１２】
2015106043.tif 000014
【図１３】
2015106043.tif 000015
【図１４】
2015106043.tif 000016
【図１５】
2015106043.tif 000017
【図１６】
2015106043.tif 000018
【図１７】
2015106043.tif 000019
【図１８Ａ】
2015106043.tif 000020
【図１８Ｂ】
2015106043.tif 000021
【図１８Ｃ】
2015106043.tif 000022
【図１９】
2015106043.tif 000023